(57)【特許請求の範囲】
【請求項１】
遠赤外線セラミック練り込み糸からなる布地を使用し、立体裁断したブラジャーであって、左右２つのカップ５１は、バスト全体を包み込むように半円球状のカップ５１とこのカップ５１の上部の略３角形のカップ上面部５２とで形成され、このカップ上面部５２の上端には、肩紐５６の一端が結合され、前記両カップ５１の下部には、伸縮性が少なく、幅の広いカップ下面部５３が形成され、この両カップ下面部５３の両端縁は、前記カップ５１の外側上端から下端にかけて幅が狭くなるように内側に傾斜し、かつ、下端線が両側に向かってそれぞれ斜め下方向に傾斜するように裁断されて形成され、これらのカップ下面部５３の両側縁には、それぞれ伸縮性のある布地からなる背面帯部５４が連続するように連結され、この背面帯部５４は、前記カップ下面部５３の両端縁からさらにそれぞれ斜め下方に傾斜し、これらの両側の背面帯部５４の端部には、それぞれ係止具５５が形成され、さらに、この背面帯部５４の途中に前記肩紐５６の他端が結合されていることを特徴とするブラジャー。
【請求項２】
左右２つのカップ５１は、半円球状で装飾編みのカップ部表地５１ａと柔らかい布地のカップ部裏地５１ｂとが２枚重ねされ、カップ上面部５２は、略３角形の装飾編みに形成されていることを特徴とする請求項１記載のブラジャー。
【請求項３】
両カップ５１の下部のカップ下面部５３は、カップ５１と同じ幅程度で伸縮性の少ない装飾編みの布地からなり、カップ下面部５３の両側には、それぞれ伸縮性のある布地からなる背面帯部５４がそれぞれ斜め下方にやや湾曲しながら傾斜して連続するように連結されていることを特徴とする請求項１記載のブラジャー。
【発明の詳細な説明】
【０００１】
【発明の属する技術分野】
本発明は、健康と美を保つためのブラジャーに関するものである。
【０００２】
【従来の技術】
女性の理想的なプロポーションは、図４に示すように、バストポイントが、頭の長さＢの２個分、ウエストポイントは、ちょうど肘の部分、ヒップポイントは、身長Ａの２分の１の高さといわれている。また、重心線に対してバストポイントの前の３角とヒップポイントの後ろの３角のバランスが取れていれば、やせた人も太った人も正しいバランスといわれている。
【０００３】
従来のブラジャー５０は、図３（ａ）（ｂ）に示すように、カップ５１を保持するための背面帯部５４が水平となるようないわゆる平面裁断となっていて、真横にブラジャー５０を締め付けることとなっていた。
【０００４】
【発明が解決しようとする課題】
そのため、胃を締め付けることになって苦痛を与えたり、脇の下を締め付けることとなってリンパの流れを妨げたりし、また、バストを肩紐５６だけで支えるために肩こりの原因になっていた。さらに、バストを正しく包み込めないため、バストと脇の下との間に副乳５９という脂肪の塊ができたり、バストの形を崩したりする原因になっていた。
【０００５】
本発明の目的は、バストとその周辺を温めることにより、脇のリンパの流れや血流を良くし、乳腺の働きをよくし、胃を圧迫せず、肩紐にかかる負担を軽減し、バストを正しく包み込むようにしたブラジャーを提供することである。
【０００６】
【課題を解決するための手段】
本発明は、遠赤外線セラミック練り込み糸からなる布地を使用し、立体裁断したブラジャーであって、左右２つのカップ５１は、バスト全体を包み込むように半円球状のカップ５１とこのカップ５１の上部の略３角形のカップ上面部５２とで形成され、このカップ上面部５２の上端には、肩紐５６の一端結合され、前記両カップ５１の下部には、伸縮性が少なく、幅の広いカップ下面部５３が形成され、この両カップ下面部５３両端縁は、前記カップ５１の外側上端から下端にかけて幅が狭くなるように内側に傾斜し、かつ、下端線が両側に向かってそれぞれ斜め下方向に傾斜するように裁断されて形成され、これらのカップ下面部５３の両側縁には、それぞれ伸縮性のある布地からなる背面帯部５４が連続するように連結され、この背面帯部５４は、前記カップ下面部５３の両端縁からさらにそれぞれ斜め下方に傾斜し、これらの両側の背面帯部５４の端部には、それぞれ係止具５５が形成され、さらに、この背面帯部５４の途中に前記肩紐５６の他端が結合されていることを特徴とするブラジャーである。
【０００７】
遠赤外線セラミック練り込み糸からなる布地を使用することにより、バストとその周辺を温め、脇のリンパの流れや血流を良くし、乳腺の働きをよくし、また、アンダーバストから背中の腰のやや上にかけて止めるようにしているため、胃を圧迫することなく、また、バストの重みをカップ下面部５３で支え、肩紐５６にかかる負担を大幅に軽減している。さらに、バストの外周部分であって、脇腹、背中、胃に逃がしていた脂肪をカップ５１によって正しく包み込むことができる。
【０００８】
【発明の実施の形態】
本発明の一実施例を図１及び図２に基づき説明する。
本発明によるブラジャー５０は、全体が遠赤外線セラミック練り込み糸からなる布地を使用しており、立体裁断とし、背面では、バストの斜め下であって、腰のやや上で止めるようにしている。
さらに詳しくは、左右２つのカップ５１は、半円球状に装飾編みのカップ部表地５１ａと柔らかい布地のカップ部裏地５１ｂとが２枚重ねされ、アンダーバスト部細幅テープ５８内には、半円状の金属線が入っている。このカップ５１の上部には、略３角形の装飾編みのカップ上面部５２が形成されて、バスト全体を正しく包み込むようになっている。このカップ上面部５２の上端には、長さ調整具５７付きの肩紐５６の一端が結合されている。
【０００９】
前記両カップ部表地５１ａの下部には、このカップ部表地５１ａと同じ幅程度のカップ下面部５３が形成されている。このカップ下面部５３は、伸縮性の少ない装飾編みの布地からなり、この両カップ下面部５３の両端縁は、前記カップ５１の外側上端から下端にかけて幅が狭くなるように内側に傾斜し、かつ、下端線が両側に向かってそれぞれ斜め下方向に傾斜するように裁断されて形成され、かつ、下端線が両側に向かってそれぞれ斜め下方向に傾斜するように裁断されて形成されている。これらのカップ下面部５３の両側縁には、それぞれ伸縮性のある布地からなる背面帯部５４が連続するように連結されている。この背面帯部５４は、前記カップ下面部５３の下端線からさらにそれぞれ斜め下方にやや湾曲しながら傾斜するように、かつ、上端線についても下端線と同様にそれぞれ斜め下方に傾斜している。これらの両側の背面帯部５４の端部には、それぞれ３列の係止爪５５ａと１列の係止鉤５５ｂからなる係止具５５が形成され、さらに、この背面帯部５４の上端線の途中に前記肩紐５６の他端が結合されている。
【００１０】
以上のように構成されたブラジャー５０は、両側の肩紐５６を長さ調整具５７で長さを調整して肩にかけ、両側のカップ５１によってバスト全体を包み込むようにして両側の背面帯部５４を背面に回し、係止具５５の係止爪５５ａと係止鉤５５ｂで係止する。
このとき、本発明によるブラジャー５０は、立体裁断とし、カップ下面部５３から背面帯部５４の背面側にかけて斜め下に、すなわち、アンダーバストから背中の腰のやや上にかけて止めるようにしている。このため、胃を圧迫することなく、また、バストの重みをカップ下面部５３で支え、肩紐５６にかかる負担を大幅に軽減している。また、バストの外周部分であって、脇腹、背中、胃に逃がしていた脂肪をカップ５１によって正しく包み込んでいる。
【００１１】
したがって、胃を締め付けることによる苦痛を与えることがなく、脇の下を締め付けないのでリンパの流れを妨げず、また、バストをカップ下面部５３でしっかりと支えるため肩紐５６による肩こりが生じることはなくなる。さらに、バストを正しく包み込むため、バストと脇の下との間の副乳ができたりせず、バストの形も崩すことがない。
【００１２】
【発明の効果】
請求項１記載の発明によれば、遠赤外線セラミック練り込み糸からなる布地を使用し、立体裁断したブラジャーであって、左右２つのカップ５１は、バスト全体を包み込むように半円球状のカップ５１とこのカップ５１の上部の略３角形のカップ上面部５２とで形成され、このカップ上面部５２の上端には、肩紐５６の一端結合され、前記両カップ５１の下部には、伸縮性が少なく、幅の広いカップ下面部５３が形成され、この両カップ下面部５３の両端縁は、前記カップ５１の外側上端から下端にかけて幅が狭くなるように内側に傾斜し、かつ、下端線が両側に向かってそれぞれ斜め下方向に傾斜するように裁断されて形成され、これらのカップ下面部５３の両側縁には、それぞれ伸縮性のある布地からなる背面帯部５４が連続するように連結され、この背面帯部５４は、前記カップ下面部５３の両端縁からさらにそれぞれ斜め下方に傾斜し、これらの両側の背面帯部５４の端部には、それぞれ係止具５５が形成され、さらに、この背面帯部５４の途中に前記肩紐５６の他端が結合されているので、バストとその周辺を温めることにより、脇のリンパの流れや血流を良くし、乳腺の働きをよくし、胃を圧迫せず、肩紐にかかる負担を軽減することができる。
【００１３】
請求項２記載の発明によれば、左右２つのカップ５１は、半円球状で装飾編みのカップ部表地５１ａと柔らかい布地のカップ部裏地５１ｂとが２枚重ねされ、カップ上面部５２は、略３角形の装飾編みに形成されているので、バストを正しく包み込むため、バストと脇の下との間の副乳ができたりせず、バストの形も崩すことがない。
【００１４】
請求項３記載の発明によれば、両カップ５１の下部のカップ下面部５３は、カップ５１と同じ幅程度で伸縮性の少ない装飾編みの布地からなり、カップ下面部５３の両側には、それぞれ伸縮性のある布地からなる背面帯部５４がそれぞれ斜め下方にやや湾曲しながら傾斜して連続するように連結したので、バストの重みをカップ下面部５３で支え、肩紐５６にかかる負担を大幅に軽減している。
【図面の簡単な説明】
【図１】本発明によるブラジャー５０の一実施例を示すもので、（ａ）は、装着時の正面図、（ｂ）は、装着時の側面図である。
【図２】本発明によるブラジャー５０の一実施例を示すもので、（ａ）は、全体の正面図、（ｂ）は、カップ部裏地５１ｂを分離した正面図である。
【図３】従来のブラジャー５０を示すもので、（ａ）は、装着時の正面図、（ｂ）は、装着時の側面図である。
【図４】日本の女性の理想的プロポーションの説明図である。
【符号の説明】
５０…ブラジャー、５１…カップ、５１ａ…カップ部表地、５１ｂ…カップ部裏地、５２…カップ上面部、５３…カップ下面部、５４…背面帯部、５５…係止具、５６…肩紐、５７…長さ調整具、５８…細幅テープ、５９…副乳。
【図１】
0003751000.tif 000002
【図２】
0003751000.tif 000003
【図３】
0003751000.tif 000004
【図４】
0003751000.tif 000005